(57)【要約】【課題】看板としての表示機能を損なわず、表示部材のあらゆる場所に自由に生花や小物を用いた装飾機能を発揮し、被掲示構造物の形状に対応できる装飾機能付きシート状案内表示物の製造方法に関する技術を提供する。【解決手段】シート部材（１０）に、スリット（２０）と、装飾物保持部材（３０）による保持手段を設けることで装飾機能を備えた案内表示物を製造する方法であって、前記シート部材（１０）は、全部又は一部を表示可能領域（１１）とする可撓性を有するシート状であり、前記スリット（２０）は、前記シート部材（１０）に装飾物（Ｓ）を挿通させる際に開口する挿通穴（２１）となり、前記シート部材（１０）の任意位置に少なくとも１以上を設け、前記装飾物保持部材（３０）は、前記スリット（２０）の位置と大きさに対応して挿通される装飾物（Ｓ）に対応する位置に設ける構成とした。【選択図】図８
2019003021.tif 000002
【特許請求の範囲】
【請求項１】
装飾物（Ｓ）を保持する保持手段を有する案内表示物を製造する方法であって、
シート部材（１０）に、
スリット（２０）と、
装飾物保持部材（３０）と、
を設ける構成から成り、
前記シート部材（１０）は、全部又は一部を表示可能領域（１１）とする可撓性を有するシート状であり、
前記スリット（２０）は、前記シート部材（１０）に前記装飾物（Ｓ）を挿通させる際に開口する挿通穴（２１）となり、前記シート部材（１０）の任意位置に少なくとも１以上を設け、
前記装飾物保持部材（３０）は、前記スリット（２０）から挿通される前記装飾物（Ｓ）に対応する大きさ及び位置に設けることを特徴とする装飾機能付きシート状案内表示物の製造方法（１）。
【請求項２】
前記装飾物（Ｓ）の前記保持手段が、
前記装飾物（Ｓ）を保持する領域への収納、
前記装飾物（Ｓ）を当接、
前記装飾物（Ｓ）を摩擦、
前記装飾物（Ｓ）を挟持、
又は前記装飾物（Ｓ）を結合、
の何れか又はこれらの組合せを利用したことを特徴とする請求項１に記載の装飾機能付きシート状案内表示物の製造方法（１）。
【請求項３】
前記保持手段が収納である場合において、
装飾物保持領域（３２）を形成するための前記装飾物保持部材（３０）にポケット部材（３１）を用い、
該ポケット部材（３１）は略平面的形状を有し、ポケット開口部（３４）を除いて前記シート部材（１０）に係止することを特徴とする請求項２に記載の装飾機能付きシート状案内表示物の製造方法（１）。
【請求項４】
前記保持手段が収納である場合において、
装飾物保持領域（３２）を形成するための前記装飾物保持部材（３０）に袋状ポケット部材（３３）を用い、
該袋状ポケット部材（３３）は一部が開口したポケット開口部（３４）を有する袋状の形状であり、
該ポケット開口部（３４）の一部又は全部の縁部と、
前記スリット（２０）によって開口する前記挿通穴（２１）の一部又は全部の縁部と、
をそれぞれ係止することを特徴とする請求項２に記載の装飾機能付きシート状案内表示物の製造方法（１）。
【請求項５】
前記保持手段が当接によるものである場合において、
二重に配置した前記シート部材（１０）の一方に、
前記スリット（２０）及び前記装飾物保持部材（３０）を備え、
他方の前記シート部材（１０）は挿入される前記装飾物（Ｓ）に当接させることで前記装飾物保持部材（３０）として利用することを特徴とする請求項２に記載の装飾機能付きシート状案内表示物の製造方法（１）。
【請求項６】
前記保持手段が摩擦によるものである場合において、
前記装飾物保持部材（３０）に小シート部材（６０）を用い、
該小シート部材（６０）は、挿通する前記装飾物（Ｓ）を摩擦力によって保持するため小スリット（６１）を有した小片であり、
前記装飾物（Ｓ）を前記小スリット（６１）へ挿通し、
該挿通により発生する摩擦によって前記装飾物（Ｓ）を保持することを特徴とする請求項２に記載の装飾機能付きシート状案内表示物の製造方法（１）。
【請求項７】
前記保持手段が結合によるものである場合において、
前記装飾物保持部材（３０）に紐（８０）、磁石、又は面ファスナーの結合部材を用い、
該締結部材は前記スリット（２０）と対応する前記シート部材（１０）の裏面に位置する個所に設けられ、
前記装飾物（Ｓ）を保持することを特徴とする請求項２に記載の装飾機能付きシート状案内表示物の製造方法（１）。
【請求項８】
前記保持手段が挟持によるものである場合において、
前記シート部材（１０）の対向する一組の両辺にファスナー（７０）を用い、
該ファスナー（７０）に設けられるスライダー（７１）による開口を前記スリット（２０）とし、
前記スライダー（７１）を前記装飾物保持部材（３０）とすることを特徴とする請求項２に記載の装飾機能付きシート状案内表示物の製造方法（１）。
【請求項９】
請求項１から請求項７の何れかに記載された装飾機能付きシート状案内表示物の製造方法（１）により製造されたことを特徴とする装飾機能付きシート状案内表示物（２）。
【請求項１０】
前記シート部材（１０）の裏面側に板状部材（３５）を配置させることにより、
前記装飾物保持部材（３０）に収納された前記装飾物（Ｓ）によって前記表示可能領域（１１）の表面形状の変化を抑制したことを特徴とする請求項９に記載の装飾機能付きシート状案内表示物（２）。
【請求項１１】
前記シート部材（１０）に有機ＥＬ（有機エレクトロルミネッセンス）を用いたことを特徴とする請求項９又は請求項１０に記載の装飾機能付きシート状案内表示物（２）。
【請求項１２】
前記シート部材（１０）を折り曲げることによるか、
若しくは複数の前記シート部材（１０）の一辺が結合されていることにより、
少なくとも２以上の異なる方向に向かって前記装飾物（Ｓ）を保持することを特徴とする請求項９から請求項１１の何れかに記載の装飾機能付きシート状案内表示物（２）。
【請求項１３】
前記装飾物（Ｓ）に植物を用いる場合に、
前記装飾物保持部材（３０）が排水機能を備えていることを特徴とする請求項９から請求項１２の何れかに記載の装飾機能付きシート状案内表示物（２）。
【発明の詳細な説明】
【技術分野】
【０００１】
本発明は、被掲示物の形状に影響を受けない表示物の装飾方法に関し、詳しくは、可撓性を有する布やビニール等のシート状部材を用い、その表面に宣伝や案内などの表示を可能とするとともに、植物や小物を用いて装飾する機能をも併せ持つことを特徴とする、宣伝広告等の案内表示物の製造方法の技術に関する。
【背景技術】
【０００２】
従来から看板には、木製や金属製といった平坦な表面に社名や広告等を表示するものがあり、近年においては電子技術の発達に伴い、大型液晶やＬＥＤモニター等へ広告情報がデジタル表示されものも登場している。係る電子的な表示技術では、表示内容を自由に変更できるという特徴があり、書き直すことが難しい看板等の表示物と比較すると優れた広告媒体といえる。また、簡易的な看板の表示部材として、イーゼルスタンド型のボードに広告やメニューを記載する方法や、伝統的な宣伝方法として、布状物に染色によって表示する暖簾やのぼりを用いた方法も存在する。
【０００３】
このように看板としての表示物は多種多様なものが存在している。しかしながら、表示物自体に当初から装飾機能を備えたものは皆無といえ、また、電柱や箱状の掲示対象物の形状に対応して変形が可能であり、且つ生花や小物を用いた自由でお洒落な装飾機能を発揮できるシート状表示物は現状において見当たらない。
【０００４】
このような現状下においても、看板としての表示物にハンギングなどを利用したり、お洒落な装飾を施すための工夫を凝らす方は多く存在する。従って、当初から装飾効果を発揮できる機能を備えた新たなシート状表示物の技術の提案が求められているとともに、既に使用されている看板においても、宣伝効果を後発的に発揮できる表示物へ変更可能な技術が求められている。
【０００５】
このような現状に鑑み、本発明者以外にも従来から種々の技術が提案されている。例えば、特許文献１には、発明の名称を「花卉ハンギングバッグ及び花卉ハンギングセット」とする技術が開示され、公知技術となっている（特許文献１参照）。具体的には、有底袋体の正面部複数箇所に十文字状切り込み等による窓部を形成してなる。これにより軒先に吊るしたり、あるいはトレリス等に懸け吊るして用いる場合に安定性がよく、しかも花卉類が成長するにつれて、露出していた袋体自体が次第に隠れるようになる結果、人工的感覚があまりなく自然性を維持することができ、また取り扱い性も格段に向上する。というものである。しかしながら、特許文献１に記載の発明は、植物の育成に適したハンギングバックの技術に関するものであり、装飾機能及び表示機能の双方が他の機能に影響を与えないという課題を解決するものではない。
【０００６】
また、特許文献２には、発明の名称を「印刷可能なファスナー複合体」とする技術が開示され、公知技術となっている（特許文献２参照）。具体的には、ループ側とフック側から構成されるファスナー複合体であって、標準的なインクジェットプリンタ及び他のプリンタによって容易に印刷、書き込み、または写真現像を可能とし、ディスプレイ、販売、広告または装飾に有用な技術である。しかしながら、特許文献２に記載の発明は、印刷による二次元的な装飾機能は発揮できても、生花や小物を利用した自由な発想に基づく三次元的な装飾はできないため、前記問題の解決には至っているとはいえないものである。
【先行技術文献】
【特許文献】
【０００７】
【特許文献１】特開２００１−１８６８１６号
【特許文献２】特表２００６−５００２４２号
【発明の概要】
【発明が解決しようとする課題】
【０００８】
看板としての表示機能を損なわず、表示部材のあらゆる場所に自由に生花や小物を用いた装飾機能を発揮し、被掲示構造物の形状に対応できる装飾機能付きシート状案内表示物の製造方法に関する技術提供を課題とするものである。
【課題を解決するための手段】
【０００９】
本発明は、装飾物を保持する保持手段を有する案内表示物を製造する方法であって、シート部材に、スリットと、装飾物保持部材と、を設ける構成から成り、前記シート部材は、全部又は一部を表示可能領域とする可撓性を有するシート状であり、前記スリットは、前記シート部材に前記装飾物を挿通させる際に開口する挿通穴となり、前記シート部材の任意位置に少なくとも１以上を設け、前記装飾物保持部材は、前記スリットから挿通される前記装飾物に対応する大きさ及び位置に設ける手段を採用する。
【００１０】
また、本発明は、前記装飾物の前記保持手段が、前記装飾物を保持する領域への収納、前記装飾物を当接、前記装飾物を摩擦、前記装飾物を挟持、又は前記装飾物を結合、の何れかを利用する手段を採用することもできる。
【００１１】
また、本発明は、前記保持手段が収納である場合において、装飾物保持領域を形成するための前記装飾物保持部材にポケット部材を用い、該ポケット部材は略平面的形状を有し、ポケット開口部を除いて前記シート部材に係止する手段を採用することもできる。
【００１２】
また、本発明は、前記保持手段が収納である場合において、装飾物保持領域を形成するための前記装飾物保持部材に袋状ポケット部材を用い、該袋状ポケット部材は一部が開口したポケット開口部を有する袋状の形状であり、該ポケット開口部の一部又は全部の縁部と、前記スリットによって開口する前記挿通穴の一部又は全部の縁部と、をそれぞれ係止する手段を採用することもできる。
【００１３】
また、本発明は、前記保持手段が当接によるものである場合において、二重に配置した前記シート部材の一方に、前記スリット及び前記装飾物保持部材を備え、他方の前記シート部材は挿入される前記装飾物に当接させることで前記装飾物保持部材として利用する手段を採用することもできる。
【００１４】
また、本発明は、前記保持手段が摩擦によるものである場合において、前記装飾物保持部材に小シート部材を用い、該小シート部材は、挿通する前記装飾物を摩擦力によって保持するため小スリットを有した小片であり、前記装飾物を前記小スリットへ挿通し、該挿通により発生する摩擦によって前記装飾物を保持する手段を採用することもできる。
【００１５】
また、本発明は、前記保持手段が結合によるものである場合において、前記装飾物保持部材に紐、磁石、又は面ファスナーの結合部材を用い、該締結部材は前記スリットと対応する前記シート部材の裏面に位置する個所に設けられ、前記装飾物を保持する手段を採用することもできる。
【００１６】
また、本発明は、前記保持手段が挟持によるものである場合において、前記シート部材の対向する一組の両辺にファスナーを用い、該ファスナーに設けられるスライダーによる開口を前記スリットとし、前記スライダーを前記装飾物保持部材とする手段を採用することもできる。
【００１７】
また、本発明は、前記何れかに記載された手段により製造される構成の表示物とすることもできる。
【００１８】
また、本発明は、前記シート部材の裏面側に板状部材を配置させることにより、前記装飾物保持部材に収納された前記装飾物によって前記表示可能領域の表面形状の変化を抑制した構成を採用することもできる。
【００１９】
また、本発明は、前記シート部材に有機ＥＬ（有機エレクトロルミネッセンス）を用いた構成を採用することもできる。
【００２０】
また、本発明は、前記シート部材を折り曲げることによるか、若しくは複数の前記シート部材の一辺が結合されていることにより、少なくとも２以上の異なる方向に向かって前記装飾物を保持する構成を採用することもできる。
【００２１】
また、本発明は、前記装飾物に植物を用いる場合に、前記装飾物保持部材が排水機能を備えている構成を採用することもできる。
【発明の効果】
【００２２】
本発明に係る装飾機能付きシート状案内表示物及びその製造方法によれば、既にシート状の表示物に表され、若しくはこれからシート状の標示物に表示される広告や宣伝のための文字、或いは図柄などのデザインの邪魔をすることなく生花やお洒落な雑貨等による自由な装飾が可能であり、お洒落で独創的な看板として機能するという優れた効果を奏するものである。
【００２３】
また、本発明に係る装飾機能付きシート状案内表示物及びその製造方法によれば、素材のすべてが可撓性や弾性、或いは伸縮性を有する素材で構成されていることから、柱や壁などの多様な物品の形状に対応して装着できるという優れた効果を発揮するものである。
【００２４】
また、本発明に係る装飾機能付きシート状案内表示物及びその製造方法によれば、構成部材が極めて少なく、また少ない工程で製作が可能なため、コストを抑えることが可能となるといった優れた効果を発揮するものである。
【００２５】
また、本発明に係る装飾機能付きシート状案内表示物及びその製造方法によれば、装飾物に立体的な小物等を用いることとなり、従来の平面的な表示物では注意を惹くことができなかった側方からの係る小物等を目視でき、広告媒体として看者の注目度を高める優れた効果を発揮するものである。
【図面の簡単な説明】
【００２６】
【図１】本発明に係る装飾機能付きシート状案内表示物の基本構成説明図である。
【図２】本発明に係る装飾機能付きシート状案内表示物のポケット部材を示す構成説明図である。
【図３】本発明に係る装飾機能付きシート状案内表示物の前面側と背面側に表示可能領域を設けた構成を示す構成説明図である。
【図４】本発明に係る装飾機能付きシート状案内表示物の第二の構成を示す構成説明図である。
【図５】本発明に係る装飾機能付きシート状案内表示物の第三の構成を示す構成説明図である。
【図６】本発明に係る装飾機能付きシート状案内表示物の第四の構成を示す構成説明図である。
【図７】本発明に係る装飾機能付きシート状案内表示物の第五の構成を示す構成説明図である。
【図８】本発明に係る装飾機能付きシート状案内表示物の使用状態説明図である。
【発明を実施するための形態】
【００２７】
本発明に係る装飾機能付きシート状案内表示物の製造方法１は、表面に看板としての表示機能を有する表示物であって、可撓性を有するシート部材１０と、該シート部材１０の表示可能領域１１の表示機能を妨げない任意の位置へ、少なくとも１以上のスリット２０を備え、その裏面には該スリット２０の位置に対応して装飾物保持部材３０を設けることにより、前記シート部材１０の表面側からスリット２０を介して装飾物保持部材３０で装飾物Ｓを保持させることにより装飾機能を備えることを可能とする方法であることを最大の特徴とするものである。以下、図面に基づいて本発明を説明する。
【００２８】
図１は、本発明に係る装飾機能付きシート状案内表示物の製造方法１の基本構成を説明する構成説明図である。図１（ａ）は、本発明に係る装飾機能付きシート状案内表示物２の平面図であり、図１（ｂ）は、断面図であり、図１（ｃ）は、背面図であり、図１（ｄ）は、装飾物保持部材３０の拡大図である。図１に示す通り、本発明に係る装飾機能付きシート状案内表示物の製造方法１により製造され、又は製造されるシート状の表示物は、看板と同様な表示可能領域１１を有する表示物に、少なくとも１以上のスリット２０を設け、該スリット２０に対応する位置に装飾物保持部材３０を備える方法により、看板としての機能を損なわない任意の位置に、装飾機能を発揮させる構成であることを示している。
【００２９】
シート部材１０は、可撓性を有する一枚の布状体であれば特に限定されるものではなく、布製、ビニール製、紙製等、表面に文字や図柄を表示できるものであれば、透明、不透明、或いは色彩なども限定されるものではない。なお、シート部材１０は表示可能領域１１となるため、耐水性や強度に優れた素材が望ましく、水性ペン等で何度も書き換えが可能な素材であることが更に望ましい。例えばＰＥＴ（ポリエチレンテレフタレート）や、ＰＰ（ポリプロピレン）等の耐候性に優れた樹脂製シートを用いれば、透明や白色、更には黒色など色彩の選択幅も広く、ＰＯＰ（Ｐｏｉｎｔ  ｏｆ  Ｐｕｒｃｈａｓｅ）広告等のお洒落な表現などもできる点で有効な素材といえる。なお、藍染め等の色付けが既にされている布状部材等の暖簾やのぼり等では、その素材のままで利用することが可能である。
【００３０】
また、シート部材１０に有機ＥＬ（有機エレクトロルミネッセンス）を用いることも有効である。有機ＥＬは電圧を加えることで発光する特性を有し、全面に文字や画像等を表示することができるため、シート部材１０として利用することができる。また、有機ＥＬは、可撓性を有するため角度を変えて表示することも可能であり、全体の表示のみならず、部分的に分割してそれぞれ独立した領域毎に異なる方向に向かって動画等の映像を表示することも可能となる。但し、スリット２０を設けると、各画素毎に発光素子が構成されているため、これを切断してしまうと、所定の領域の表示機能を失うこととなる。そこで、スリット２０を設ける際には十分に注意し、スリット２０を設ける位置を正確に特定して行うことが必要である。
【００３１】
表示可能領域１１は、シート部材１０の表面に広告等の情報を表示する部分であり、基本的な構成としてはシート部材１０の表示側全面をその領域とすることとなる。但し、係る構成に限定されるものではなく、独立したシート部材１０を張り付けて、その領域とする表示可能領域１１とする構成でもよい。係る表示可能領域１１へ広告等を表示する手段としての表示可能領域１１となるシート部材１０の表面に直接水性ペン等の筆記具を用いて広告等を表示する態様の他、印刷されたプリント物や写真を張り付ける表示手段を採用してもよい。更に、シート部材１０に専用の表示可能領域１１のためのシートを剥離可能な粘着剤により張り付ける構成も有効である。
【００３２】
係止部１２は、シート部材１０に必要に応じて縁部などに設けられ、該係止部１２はフック部材や紐状部材に介して、被掲示物に取り付けるための穴部やスリット等である。
【００３３】
スリット２０は、シート部材１０に設けられる挿通穴２１であって、装飾物Ｓを表示可能領域１１側から背面の装飾物保持部材３０へ挿入するための開口部となり、複数設けて汎用性を高める構成とした場合であって、一部のスリット２０しか使用しない場合でも、スリット２０は可能な限り隙間が空かないようにすることで、表示可能領域１１の機能を妨げない構成とすることが望ましい。なお、スリット２０の配置構成としては、図面に示した構成は多数スリット２０を配置し、どこにでも装飾機能の発揮を可能とする汎用性の優れた実施例として示したものであり、係る構成に限定されるものではなく、例えば、四隅や縁部のみにスリット２０を配置し、できるだけ表示可能領域１１の表示領域を妨げない構成とする態様も有効である。逆に、シート部材１０を埋め尽くすほどの数を設け、装飾の自由度を高めることも有効である。
【００３４】
装飾物保持部材３０は、シート部材１０に配置されるスリット２０の位置に対応して表示可能領域１１側の背面側に設けられる装飾物Ｓを保持するための部材である。係る装飾物保持部材３０の数、大きさ、或いは形状については特に特定した場合を除き限定されるものではなく、例えば、小さい装飾物保持部材３０を大きい装飾物保持部材３０で重畳的に覆う構成であったり、かわいらしい形の形状とするなど、自由にシート部材１０の裏面に形成すればよい。
【００３５】
ポケット部材３１は、略平面状のシートを略Ｕ字状に係着させることによって、シート部材１０の背面に装飾物保持領域３２を形成する部材である。
【００３６】
装飾物保持領域３２は、装飾物保持部材３０を配置する位置に、ポケット部材３１、袋状ポケット部材３３、背面シート部材４０、若しくは小シート部材６０により係止されることで得られる空間領域であって、装飾物Ｓを収容するために必要な領域となるものである。また、装飾物保持領域３２は、前記同様スリット２０によって開口する開口縁部から下方に向かって形成されるようにする。なお、大きさが異なるポケット部材３１を重畳的に配置して、小さなポケット部材３１を大きなポケット部材３１で覆わせて、装飾物保持領域３２を多重に構成することも有効である。また、図１（ｄ）に示すように、装飾物保持領域３２内のシート部材１０側に非可撓性素材の板状部材３５を設けて、装飾物保持領域３２内に装飾物Ｓを収納することで表示可能領域１１となるシート部材１０に変形を与えないようにする構成を採用することも有効である。
【００３７】
板状部材３５は、ポケット部材３１を用いる装飾物保持領域３２を形成する場合に用い、その該領域内に収容される装飾物Ｓの形状や大きさによって、シート部材１０の表示可能領域１１に変形を生じさせることがないように規制するための板状の部材であり、図１（ｄ）に示したものは装飾物保持部材３０にポケット部材３１を用いた場合を例示したものである。従って係る構成に限定されるものではなく、素材や形状によって大きく効果が変わらない範囲において変更することも可能である。また、薄くて変形しにくい樹脂製のものやゴム製等を用いることが有効である。なお、図面には示していないが、ポケット部材３１を用いる場合に、係る板状部材３５を装飾物保持領域３２のシート状部材１０側の一面とし、ポケット部材３１を係着させて多面とした装飾物保持領域３２とすることも有効である。
【００３８】
図２は、本発明に係る装飾物Ｓを保持するための構造を説明し、図２（ａ）は係る装飾物保持部材３０に袋状ポケット部材３３を用い装飾物保持領域３２を形成させる実施例であり、図２（ｂ）は装飾物保持部材３０に袋状ポケット部材３３を用い、該袋状ポケット部材３３の開口する縁部の一部又は全部とスリット２０による開口縁部を係止させた状態の実施例を示す断面図である。
【００３９】
図２（ａ）に示す実施例では、装飾物保持部材３０をスリット２０による開口縁部に形成するため、袋状ポケット部材３３を備えて、ポケット開口部３４の一辺とスリット２０による開口縁部の一辺とを係止する構成を示し、図２（ｂ）に示す実施例では、装飾物保持部材３０をスリット２０による開口縁部に形成するため、袋状ポケット部材３３を用い、ポケット開口部３４の両辺をスリット２０による開口縁部の両辺とそれぞれを係止する構成を示している。
【００４０】
袋状ポケット部材３３は、上部が開口する袋であって、シート部材１０の背面に装飾物保持領域３２を形成する部材である。
【００４１】
ポケット開口部３４は、袋状ポケット部材３３における係止されない縁部を外周とする開口部である。
【００４２】
図２（ａ）の構成により、装飾物保持領域３２へ装飾物Ｓを収容する場合には、シート部材１０に直接装飾物Ｓが接触することの無いようにしているため、前記の図１（ｂ）に示す構成と比較して、表示可能領域１１の表示機能を損なうことを防止する効果を発揮する構成とするものである。
【００４３】
また、図２（ｂ）の構成は、前記説明した図２（ａ）の構成と同様の効果を発揮するとともに、更に別の効果的特徴を備えることができる構成である。図２（ａ）に示した構成では、スリット２０と袋状ポケット部材３３とが一辺のみを係止するが、装飾物保持領域３２に収容する装飾物Ｓが重いと、スリット２０の下側の開口辺が下方へ引っ張られ、スリット２０が大きく開口してしまう。そうすると反対側が見えてしまい、看板としての美しさや機能を損ねる場合もある。
【００４４】
そこで、装飾物Ｓが重い場合などでは、図２（ｂ）の構成を採用することが有効である。即ち、袋状ポケット部材３３のポケット開口部３４の一辺とスリット２０の挿通穴２１の一辺を係止し、袋状ポケット部材３３の他辺とスリット２０の挿通穴２１の他辺をそれぞれ係止する構成を採用すれば、スリット２０が開口しても、該袋状ポケット部材３３の存在により、背面側が見えることもなく、また、袋状ポケット部材３３のポケット開口部３４全体がスリット２０の挿通穴２１全体と一体となるため、装飾物Ｓの重量が両辺に作用し、図１（ａ）、及び図２（ａ）に示す構成と比較すると、装飾物保持領域３２内に収容された装飾物Ｓの形状等による影響を受けて、シート部材１０への変形等を抑え、表示可能領域１１の表示機能を損なうことを防止する効果を発揮する構成とするものである。
【００４５】
図３は、本発明に係る装飾機能付きシート状案内表示物の製造方法１を利用した表示物の構成において、前面側と背面側に表示可能領域１１を設けた構成を示し、図３（ａ）は、略平面状のポケット部材３１によって装飾物保持部材３０を備える構成の実施形態を示し、図３（ｂ）は袋状ポケット部材３３によって装飾物保持部材３０を備える構成の実施形態を示し、図３（ｃ）はポケット部材３１等を使用せずに、二重に配置したシート部材１０を装飾物保持部材３０として利用する構成を示している。
【００４６】
図３は、上部で折り返して前面側及び背面側の何れにも表示可能領域１１を設けたい場合の構成を示しており、係る場合には装飾物保持部材３０の配置に注意をすることが必要である。即ち、図３（ａ）及び図３（ｂ）に示すように、それぞれの背面側に配置される装飾物保持部材３０のポケット開口部３４が装飾物保持領域３２の上側となるように、ポケット部材３１又は袋状ポケット部材３３を係止することが必要となる。また、図３（ｃ）は、挿通穴２１から挿通された装飾物Ｓがシート部材１０に当接することによって保持される構成の実施形態を示している。未だ何も広告が記載されていない場合では、自由な位置と数のスリット２０と、これに対応するポケット部材３１又は袋状ポケット部材３３、若しくは背面シート部材４０を、予定される広告等の文字や図形を避けて設ける（図８）。
【００４７】
なお、図３では、シート部材１０を上部で折り返す１枚構成のものを示しているが、２枚の一辺を縁部で結合させたものでも良い。図３（ｃ）の構成のように、挿通穴２１から挿通された装飾物Ｓがシート部材１０に当接することによって、もう一枚のシート部材１０を装飾物保持部材３０として利用とする態様である。保持させる構成の実施形態も、部品点数を極めて少なくすることができる点で、有効である。
【００４８】
そしてまた、既にシート部材１０の表示可能領域１１内に広告等の表示が表されている場合では、係る表示可能領域１１でもスリット２０を設けて、これに対応するポケット部材３１又は袋状ポケット部材３３、若しくは背面シート部材４０を設けることも有効である。係る前面側と背面側でそれぞれ別の内容の広告を示す構成を具体的に例示した図８（ｄ）を用いて、説明する。例えば、文房具店の入り口に向かう人に対して見える側の表示可能領域１１には、集客を高めるためのセールや限定品なのどの情報を文字や図形によって表し、装飾物Ｓには見本品となる文房具を用い、店内から見える側には、来店に対するお礼を込めた文字等を表示可能領域１１に表し、装飾物Ｓには、次の来店を促すためのパンフレットやノベルティー品を用いる構成なども有効である。
【００４９】
図４は、装飾機能付きシート状案内表示物の製造方法１の第二の構成を示す構成説明図である。前述の基本構成と異なり、シート部材１０に背面シート部材４０を貼着させる構成を採用し、ポケット部材３１に代えて、係着部５０によりシート部材１０と背面シート部材４０との間で背面ポケット５１を形成する構成である。
【００５０】
背面シート部材４０は、シート部材１０に張り付ける可撓性を有した一枚の布状体であれば特に限定されるものではなく、布製、ビニール製、紙製等、透明、不透明或いは色彩なども限定されるものではない。但し、背面シート部材４０には、係着部５０によって背面ポケット５１を形成するため伸縮性を備えた素材を用いることが好ましい。なお、生花やポット苗などの植物によって装飾する場合には、背面ポケット５１に排水溝を設けるとともに、適度な排水性と保水性を有する素材を選択するなど、育苗に関する装飾物Ｓを用いる場合には、特に注意しなければならない点もある。
【００５１】
係着部５０は、背面シート部材４０とシート部材１０とを係着により係止させる部分であり、その係着手段としては接着、溶着、両面テープ、面ファスナー、縫製等、種々の方法が可能である。但し、これらの手段において、表示可能領域１１に該係着部５０が見えないことが望ましい。係る係着部５０は、係着手段に応じて適した特性を有していることが望ましい。
【００５２】
背面ポケット５１は、背面シート部材４０が係着部５０によってシート部材１０と張り合わされることにより創出される収納部であり、装飾物Ｓを保持する部分となるため、その大きさや素材の選択は装飾物Ｓを許容できる大きさとなる。
【００５３】
背面装飾物保持領域５２は、シート部材１０と背面シート部材４０がそれぞれの上辺を除く外周縁部を係着し、背面シート部材４０の背面スリット４１の背面シート挿通穴４２とシート部材１０のスリット２０の挿通穴２１との間にできる空間である。
【００５４】
装飾物Ｓは、本発明に係る装飾機能を発揮させるための物品等であり、通常の看板等の表示物に描く図柄や文字等の情報伝達手段とは異なる新たな装飾機能を発揮させるものである。例えば、表示可能領域１１に記載された動物病院の名称を目立たせるための装飾として、その前後に犬と猫のそれぞれのぬいぐるみを配置する場合などである。更に、装飾物Ｓに植物を用いることも有効である。背面シート部材４０で示した例と同様、生花やポット苗など自然の植物による美しさを装飾機能付きシート状案内表示物２に利用する場合は、水遣りや日照などを考慮する必要があるため、排水や保水等を考慮した素材のシート部材１０を選択することが必要である。
【００５５】
図５は、本発明に係る装飾機能付きシート状案内表示物２の第三の構成を示す構成説明図である。図５（ａ）は、本発明に係る装飾機能付きシート状案内表示物２の平面図であり、図５（ｂ）は、断面図であり、図５（ｃ）は、背面図である。
【００５６】
係る実施例では、シート部材１０の背面に背面シート部材４０を設ける構成であり、該背面シート部材４０の素材には、ゴム又はシリコーン等の弾性特性や、滑り止めのための摩擦力を有するシート状部材を用いることが望ましい。
【００５７】
図５（ｃ）に示すように、背面シート部材４０には背面スリット４１が複数設けられ、図５（ｂ）及び図５（ｃ）に示すようにシート部材１０と背面シート部材４０はそれぞれの上辺を除く外周縁部を係着させて背面ポケット５１を構成し、背面スリット４１の背面シート挿通穴４２と挿通穴２１との間にできる空間を背面装飾物保持領域５２としている。
【００５８】
背面スリット４１は、開口することによって装飾物Ｓを挿入し保持する役割を果たす穴部となり、また、連続する背面スリット４１を交互に通過させることで、その保持力を高めることができる。該背面スリット４１は、収納物の大きさに対応して必要な配置とする。
【００５９】
背面シート挿通穴４２は、背面スリット４１を開口することによって創出する穴部となり、該穴部によって装飾物Ｓの背面装飾物保持領域５２へと導く通過口である。
【００６０】
図６は、本発明に係る装飾機能付きシート状案内表示物２の第四の構成を示す構成説明図である。図６（ａ）は、本発明に係る装飾機能付きシート状案内表示物２の平面図であり、図６（ｂ）は、断面図であり、図６（ｃ）は、背面図である。
【００６１】
係る第四の構成は、装飾物保持領域３２をシート部材１０の背面に小シート部材６０を用いて挿通穴２１から装飾物保持領域３２へと装飾物Ｓを収納し、小シート部材６０の複数の複数の小スリット６１により装飾物Ｓを保持するものである。
【００６２】
小シート部材６０は、スリット２０の位置から装飾物Ｓを保持するための小スリット６１を複数設けた小さなシートであり、小シート挿通穴６２の上辺又は下辺の何れかに係止するだけで装飾物Ｓを保持でき、必要な場所に必要な大きさのものを適宜選択して装飾物Ｓの大きさや重さに対応することが可能である。なお、図面には示していないが、シート部材１０に、下辺に略Ｌ字状のストッパーとなる段差部を設けて、装飾物Ｓの落下を防止する構成とすることも有効である。
【００６３】
小スリット６１は、開口することによって装飾物Ｓを挿通し保持する役割を果たす穴部となり、また、連続することで装飾物Ｓを小シート挿通穴６２に交互に通過させることで、その保持力を高めることができる。なお、複数の小スリット６１は、装飾物Ｓを連続する開口部へ互い違いに挿通して保持するため、係る素材には適度な硬さと伸縮性を備えるものが望ましい。
【００６４】
図７は、本発明に係る装飾機能付きシート状案内表示物２の第五の構成を示す構成説明図である。図７（ａ）は、本発明に係る装飾機能付きシート状案内表示物２の平面図であり、図７（ｂ）は、背面図である。
【００６５】
第五の構成は、装飾物保持部材３０にファスナー７０を用いてシート部材１０を結合し、係るファスナー７０に用いられるスライダー７１を操作することによって任意の位置にファスナー開口部７２を設け、該ファスナー開口部７２をスリット２０及び挿通穴２１として利用する構成である。係る構成において、挿通穴２１に挿通された装飾物Ｓは、両側からスライダー７１によって挟持するものである。また、係る構成では、ファスナー７０の長手方向に多数のスライダー７１を設けることにより、複数のスリット２０並びに挿通穴２１を創出させることが可能である。
【００６６】
係る構成では、スライダー７１の位置を変化させることができるため、装飾物Ｓの装着位置を該スライダー７１の移動にともなって、ファスナー７０の長手方向に移動することが可能である。また、装飾物Ｓの大きさが変化してもスライダー７１の距離を調整することで対応可能となっている。
【００６７】
また、図７（ｂ）には、装飾物保持部材３０として紐８０三本が設けられており、例えば、三本で構成された右側一本のみの紐８０を用いて装飾物Ｓと縛り付けて結合する構成や、左側からの二本の紐８０を用いて装飾物Ｓに縛り付けて結合する構成が示されている。また、図７（ｂ）には、更に、右側に袋状ポケット部材３３を二つのスライダー７１に係止させて設けた構成が示されている。
【００６８】
ファスナー７０は、一般に衣服等に使用されている金属製又は樹脂製の開閉部材として用いられているものを利用すればよく、特に種類や構造等について限定されるものではなく、スライダー７１を移動することで布状の部材を分割・結合・部分開口等できるものであればよい。
【００６９】
スライダー７１は、ファスナー７０の結合の状態を操作する部材であり、本発明においては二つのスライダー７１があれば自由な位置にファスナー開口部７２を設けることが可能となる。また、スライダー７１を多数用いて一つのファスナー７０に複数のスライダー開口部７２を設けることも可能である。
【００７０】
ファスナー開口部７２は、スライダー７１を操作することによってファスナー７０に創出されるスリット２０であり、二つのスライダー７１で装飾物Ｓを挟み込むことで、シート部材１０に保持することを可能とするものである。
【００７１】
なお、図面には示していないが、ファスナー７０を長手方向に別のシート部材１０の背面に配置し、スリット２０に対応した位置でスライダー７１によって挟持する構成も有効である。
【００７２】
また、図面には示していないが、本発明に係る装飾機能付きシート状案内表示物２の第六の構成を以下に示す。
【００７３】
係る第六の構成は、装飾物保持部材３０に紐８０を用い、該紐８０はシート部材１０の背面に備え、挿通穴２１から挿通された装飾物Ｓを紐８０で締結して保持するものである。本数については一本で足りるが、複数であることが望ましい。
【００７４】
紐８０は、特に限定されるものではないが、縛り易く、ほどけにくい素材や太さを考慮しいて用いればよく、また、シート部材１０に目立たないよう同色を用いることが望ましい。
【００７５】
図８は、本発明に係る装飾機能付きシート状案内表示物２の使用状態説明図であり、図８（ａ）は、本発明に係る装飾機能付きシート状案内表示物２を平面的に用いた実施例を示し、図８（ｂ）は、本発明に係る装飾機能付きシート状案内表示物２を円柱等に巻き付けて用いた実施例を示し、図８（ｃ）は、本発明に係る装飾機能付きシート状案内表示物２を箱状物等に巻き付けて用いた実施例を示し、図８（ｄ）は、本発明に係る装飾機能付きシート状案内表示物２をイーゼルに中心から前後に折り曲げて用いた実施例を示している。
【００７６】
図８（ａ）は、本発明に係る装飾機能付きシート状案内表示物２を壁や平板状の構造物等に設置した状態の実施例を示している。装飾機能付きシート状案内表示物２を壁等に取り付ける方法には、係止部１２を壁等に設けられたフックへ係止する構成などがある。また、図面には示していないが、係る係止部１２に、上方から紐等を介して吊り下げる構成も有効な手段である。なお、これらの取り付け手段に限定されるものではなく、例えば、係止部１２を使用しない構成として両面テープや面ファスナーで貼り付けたりする構成も可能である。但し、背面側の壁等に装飾物Ｓが突き出す場合には縁部のみに貼着するなど、全体の伸縮等を考慮して決定する。
【００７７】
図８（ｂ）は、本発明に係る装飾機能付きシート状案内表示物２を電柱等の円周に巻き付けて使用する実施例を示している。例えば電柱に「ＡＢＣ生花店５０ｍ先左折」と表示し、次の電柱に「ＡＢＣ生花店１０ｍ先右」、と位置情報を表示し、店舗までの誘導を目的とする使用なども有効である。この場合、電柱には他の広告等も存在する場合があり得るため、例えばバラの造花による立体的な装飾物Ｓの存在により、店舗までの誘導及び宣伝効果を併せて発揮させる使用例である。
【００７８】
図８（ｃ）は、店頭などに設置された立体構造の看板等に、本発明に係る装飾機能付きシート状案内表示物２を装着した実施例を示している。図８（ｃ）で示した装飾物Ｓは、植物を用いた例を示しているが、植物に限定されるものではなく、季節やイベントごとに応じて種々の物品等を自由に選択して利用することで、他の店舗と差別化を図った宣伝効果が得られるという優れた宣伝効果を発揮させることが可能である。また、立体構造の看板とすることにより、従来では見えなかった斜め方向や側方向でも、立体部分については需要者の銃威力を引くことが可能であるという効果を発揮することが可能である。
【００７９】
図８（ｄ）は、店頭などにイーゼルを使用した看板やメニューに代えて、本発明に係る装飾機能付きシート状案内表示物２を装着した実施例を示している。例えば、「ＡＢＣ文具店の新商品」などの記載とともに、店内の商品の見本などを装飾することで、需要者の注意を惹きつけることが可能である。
【産業上の利用可能性】
【００８０】
本発明は、シート状からなる案内表示物への装飾が自由にできることから、従来できなかった新たな装飾機能が発揮でき、飲食店や各種イベントの看板として広く利用でき、装飾者の個性を発揮することを可能とする魅力的な発明品となり、産業上利用可能性は極めて高いと思慮されるものである。
【符号の説明】
【００８１】
１    装飾機能付きシート状案内表示物の製造方法
２    装飾機能付きシート状案内表示物
１０  シート部材
１１  表示可能領域
１２  係止部
２０  スリット
２１  挿通穴
３０  装飾物保持部材
３１  ポケット部材
３２  装飾物保持領域
３３  袋状ポケット部材
３４  ポケット開口部
４０  背面シート部材
４１  背面スリット
４２  背面シート挿通穴
５０  係着部
５１  背面ポケット
５２  背面装飾物保持領域
６０  小シート部材
６１  小スリット
６２  小シート挿通穴
７０  ファスナー
７１  スライダー
７２  ファスナー開口部
８０  紐
Ｓ    装飾物
【図１】
2019003021.tif 000003
【図２】
2019003021.tif 000004
【図３】
2019003021.tif 000005
【図４】
2019003021.tif 000006
【図５】
2019003021.tif 000007
【図６】
2019003021.tif 000008
【図７】
2019003021.tif 000009
【図８】
2019003021.tif 000010
【手続補正書】
【提出日】平成29年9月13日(2017.9.13)
【手続補正１】
【補正対象書類名】特許請求の範囲
【補正対象項目名】全文
【補正方法】変更
【補正の内容】
【特許請求の範囲】
【請求項１】
装飾物（Ｓ）を保持する保持手段を有する案内表示物を製造する方法であって、
シート部材（１０）に、
スリット（２０）と、
装飾物保持部材（３０）と、
を設ける構成から成り、
前記シート部材（１０）は、全部又は一部を表示可能領域（１１）とする可撓性を有するシート状であり、
前記スリット（２０）は、前記シート部材（１０）に前記装飾物（Ｓ）を挿通させる際に開口する挿通穴（２１）となり、前記シート部材（１０）の任意の位置に少なくとも１以上を設け、
前記装飾物保持部材（３０）は、前記スリット（２０）から挿通される前記装飾物（Ｓ）に対応する大きさ及び位置に設け、
前記保持手段が摩擦によるものであって、
前記装飾物保持部材（３０）に小シート部材（６０）を用い、
該小シート部材（６０）は、挿通する前記装飾物（Ｓ）を摩擦力によって保持するため小スリット（６１）を有した小片であり、
前記装飾物（Ｓ）を前記小スリット（６１）へ挿通し、
該挿通により発生する摩擦によって前記装飾物（Ｓ）を保持することを特徴とする装飾機能付きシート状案内表示物の製造方法（１）。
【請求項２】
装飾物（Ｓ）を保持する保持手段を有する案内表示物を製造する方法であって、
シート部材（１０）に、
スリット（２０）と、
装飾物保持部材（３０）と、
を設ける構成から成り、
前記シート部材（１０）は、全部又は一部を表示可能領域（１１）とする可撓性を有するシート状であり、
前記スリット（２０）は、前記シート部材（１０）に前記装飾物（Ｓ）を挿通させる際に開口する挿通穴（２１）となり、前記シート部材（１０）の任意の位置に少なくとも１以上を設け、
前記装飾物保持部材（３０）は、前記スリット（２０）から挿通される前記装飾物（Ｓ）に対応する大きさ及び位置に設け、
前記保持手段が挟持によるものであって、
前記装飾物保持部材（３０）にファスナー（７０）を用い、
該ファスナー（７０）に設けられるスライダー（７１）による開口を前記スリット（２０）とし、
前記装飾物（Ｓ）を前記スリット（２０）へ挿通し、
前記スライダー（７１）による挟持によって前記装飾物（Ｓ）を保持することを特徴とする装飾機能付きシート状案内表示物の製造方法（１）。
【請求項３】
装飾物（Ｓ）を保持する保持手段を有する案内表示物を製造する方法であって、
シート部材（１０）に、
スリット（２０）と、
装飾物保持部材（３０）と、
を設ける構成から成り、
前記シート部材（１０）は、全部又は一部を表示可能領域（１１）とする可撓性を有するシート状であり、
前記スリット（２０）は、前記シート部材（１０）に前記装飾物（Ｓ）を挿通させる際に開口する挿通穴（２１）となり、前記シート部材（１０）の任意の位置に少なくとも１以上を設け、
前記装飾物保持部材（３０）は、前記スリット（２０）から挿通される前記装飾物（Ｓ）に対応する大きさ及び位置に設け、
前記保持手段が結合によるものであって、
前記装飾物保持部材（３０）に紐（８０）、磁石、又は面ファスナーの結合部材を用い、
該結合部材は前記スリット（２０）と対応する前記シート部材（１０）の裏面に位置する個所に設けられ、
前記装飾物（Ｓ）を保持することを特徴とする装飾機能付きシート状案内表示物の製造方法（１）。
【請求項４】
装飾物（Ｓ）を保持する保持手段を有する案内表示物であって、
シート部材（１０）に、
スリット（２０）と、
装飾物保持部材（３０）と、
を設ける構成から成り、
前記シート部材（１０）は、全部又は一部を表示可能領域（１１）とする可撓性を有するシート状であり、
前記スリット（２０）は、前記シート部材（１０）に前記装飾物（Ｓ）を挿通させる際に開口する挿通穴（２１）となり、前記シート部材（１０）の任意の位置に少なくとも１以上を設け、
前記装飾物保持部材（３０）が、摩擦による保持力を利用した前記保持手段として小シート部材（６０）を用い、
該小シート部材（６０）は、挿通する前記装飾物（Ｓ）を摩擦力によって保持するための小スリット（６１）を有した小片であり、
前記装飾物（Ｓ）を前記小スリット（６１）へ挿通し、
該挿通により発生する摩擦によって前記装飾物（Ｓ）を保持することを特徴とする装飾機能付きシート状案内表示物（２）。
【請求項５】
装飾物（Ｓ）を保持する保持手段を有する案内表示物であって、
シート部材（１０）に、
スリット（２０）と、
装飾物保持部材（３０）と、
を設ける構成から成り、
前記シート部材（１０）は、全部又は一部を表示可能領域（１１）とする可撓性を有するシート状であり、
前記スリット（２０）は、前記シート部材（１０）に前記装飾物（Ｓ）を挿通させる際に開口する挿通穴（２１）となり、前記シート部材（１０）の任意の位置に少なくとも１以上を設け、
前記装飾物保持部材（３０）が、挟持による保持力を利用した前記保持手段としてファスナー（７０）を用い、
該ファスナー（７０）に設けられるスライダー（７１）による開口を前記スリット（２０）とし、前記スライダー（７１）を前記装飾物（Ｓ）に挟み付ける挟持力によって保持することを特徴とする装飾機能付きシート状案内表示物（２）。
【請求項６】
前記スライダー（７１）に袋状ポケット部材（３３）を係止し、
前記スライダー（７１）と連動して移動する前記袋状ポケット部材（３３）を前記シート部材（１０）の裏面に備えていることを特徴とする請求項５に記載の装飾機能付きシート状案内表示物（２）。
【請求項７】
装飾物（Ｓ）を保持する保持手段を有する案内表示物であって、
シート部材（１０）に、
スリット（２０）と、
装飾物保持部材（３０）と、
を設ける構成から成り、
前記シート部材（１０）は、全部又は一部を表示可能領域（１１）とする可撓性を有するシート状であり、
前記スリット（２０）は、前記シート部材（１０）に前記装飾物（Ｓ）を挿通させる際に開口する挿通穴（２１）となり、前記シート部材（１０）の任意の位置に少なくとも１以上を設け、
前記装飾物保持部材（３０）が、結合による保持力を利用した前記保持手段として紐（８０）、磁石、又は面ファスナーの何れか若しくはこれらの組み合わせによる結合部材を前記シート部材（１０）の裏面に備え、
前記装飾物（Ｓ）を前記スリット（２０）へ挿通し、
前記結合部材の結合力によって前記装飾物（Ｓ）を保持することを特徴とする装飾機能付きシート状案内表示物（２）。
【請求項８】
装飾物（Ｓ）を保持する保持手段を有する案内表示物であって、
シート部材（１０）に、
スリット（２０）と、
装飾物保持部材（３０）と、
を設ける構成から成り、
前記シート部材（１０）は、全部又は一部を表示可能領域（１１）とする可撓性を有するシート状であり、
前記スリット（２０）は、前記シート部材（１０）に前記装飾物（Ｓ）を挿通させる際に開口する挿通穴（２１）となり、前記シート部材（１０）の任意の位置に少なくとも１以上を設け、
前記装飾物保持部材（３０）が、結合による保持力を利用した前記保持手段として紐（８０）とファスナー（７０）を用い、
前記ファスナー（７０）に設けられるスライダー（７１）による開口を前記スリット（２０）とし、
前記装飾物（Ｓ）を前記スリット（２０）へ挿通し、
前記紐（８０）の結合力によって前記装飾物（Ｓ）を保持することを特徴とする装飾機能付きシート状案内表示物（２）。
【請求項９】
装飾物（Ｓ）を保持する保持手段を有する案内表示物であって、
シート部材（１０）に、
スリット（２０）と、
装飾物保持部材（３０）と、
を設ける構成から成り、
前記シート部材（１０）は、全部又は一部を表示可能領域（１１）とする可撓性を有するシート状であり、
前記スリット（２０）は、前記シート部材（１０）に前記装飾物（Ｓ）を挿通させる際に開口する挿通穴（２１）となり、前記シート部材（１０）の任意の位置に少なくとも１以上を設け、
前記装飾物保持部材（３０）が、当接による保持力を利用した前記保持手段として前記シート部材（１０）を折り曲げることによるか、
若しくは複数の前記シート部材（１０）の一辺が結合されていることにより、
前記表示可能領域（１１）を少なくとも２以上の異なる方向へ表示可能とし、
少なくとも１以上の前記装飾物（Ｓ）が前記スリット（２０）から挿通されて当接することにより保持することを特徴とする装飾機能付きシート状案内表示物（２）。
【請求項１０】
装飾物（Ｓ）を保持する保持手段を有する案内表示物であって、
シート部材（１０）に、
スリット（２０）と、
装飾物保持部材（３０）と、
を設ける構成から成り、
前記シート部材（１０）は、全部又は一部を表示可能領域（１１）とする可撓性を有するシート状であり、
前記スリット（２０）は、前記シート部材（１０）に前記装飾物（Ｓ）を挿通させる際に開口する挿通穴（２１）となり、前記シート部材（１０）の任意の位置に少なくとも１以上を設け、
前記装飾物保持部材（３０）が、摩擦による保持力を利用した前記保持手段として小シート部材（６０）を用い、
該小シート部材（６０）は、挿通する前記装飾物（Ｓ）を摩擦力によって保持するための小スリット（６１）を有した小片であり、
前記装飾物（Ｓ）を前記小スリット（６１）へ挿通し、
該挿通により発生する摩擦によって前記装飾物（Ｓ）を保持するか、
前記装飾物保持部材（３０）が、挟持による保持力を利用した前記保持手段としてファスナー（７０）を用い、
該ファスナー（７０）に設けられるスライダー（７１）による開口を前記スリット（２０）とし、前記スライダー（７１）を前記装飾物（Ｓ）に挟み付ける挟持力によって保持するか、
前記装飾物保持部材（３０）が、結合による保持力を利用した前記保持手段として紐（８０）、磁石、面ファスナー、又は両面テープの何れか若しくはこれらの組み合わせによる結合部材を前記シート部材（１０）の裏面に備え、
前記装飾物（Ｓ）を前記スリット（２０）へ挿通し、
前記結合部材の結合力によって前記装飾物（Ｓ）を保持するか、
若しくは前記装飾物保持部材（３０）が、当接による保持力を利用した前記保持手段として前記シート部材（１０）を折り曲げることによるか、
若しくは複数の前記シート部材（１０）の一辺が結合されていることにより、
少なくとも２以上の異なる方向に向かって前記装飾物（Ｓ）が前記スリット（２０）から挿通されて当接することにより保持する前記保持手段の内、
少なくとも２以上の前記保持手段を備えたことにより保持することを特徴とする装飾機能付きシート状案内表示物（２）。
【請求項１１】
前記シート部材（１０）の裏面側に板状部材（３５）を配置させることにより、
前記装飾物（Ｓ）による前記表示可能領域（１１）の表面形状の変化を抑制したことを特徴とする請求項４から請求項１０の何れかに記載の装飾機能付きシート状案内表示物（２）。
【請求項１２】
前記シート部材（１０）に有機ＥＬ（有機エレクトロルミネッセンス）を用いたことを特徴
とする請求項４から請求項１１の何れかに記載の装飾機能付きシート状案内表示物（２）。
【請求項１３】
前記装飾物保持部材（３０）の他に、収納による保持力を利用した前記保持手段として略平面形状のポケット部材（３１）又はポケット開口部（３４）を有する袋状ポケット部材（３３）を備えたことを特徴とする請求項４から請求項１２の何れかに記載の装飾機能付き案内表示物（２）。
【手続補正２】
【補正対象書類名】明細書
【補正対象項目名】００４８
【補正方法】変更
【補正の内容】
【００４８】
そしてまた、既にシート部材１０の表示可能領域１１内に広告等の表示が表されている場合では、係る表示可能領域１１でもスリット２０を設けて、これに対応するポケット部材３１又は袋状ポケット部材３３、若しくは背面シート部材４０を設けることも有効である。係る前面側と背面側でそれぞれ別の内容の広告を示す構成を具体的に例示した図８（ｄ）を用いて、説明する。例えば、文房具店の入り口に向かう人に対して見える側の表示可能領域１１には、集客を高めるためのセールや限定品などの情報を文字や図形によって表し、装飾物Ｓには見本品となる文房具を用い、店内から見える側には、来店に対するお礼を込めた文字等を表示可能領域１１に表し、装飾物Ｓには、次の来店を促すためのパンフレットやノベルティー品を用いる構成なども有効である。
【手続補正３】
【補正対象書類名】明細書
【補正対象項目名】００８１
【補正方法】変更
【補正の内容】
【００８１】
１    装飾機能付きシート状案内表示物の製造方法
２    装飾機能付きシート状案内表示物
１０  シート部材
１１  表示可能領域
１２  係止部
２０  スリット
２１  挿通穴
３０  装飾物保持部材
３１  ポケット部材
３２  装飾物保持領域
３３  袋状ポケット部材
３４  ポケット開口部
３５ 板状部材
４０  背面シート部材
４１  背面スリット
４２  背面シート挿通穴
５０  係着部
５１  背面ポケット
５２  背面装飾物保持領域
６０  小シート部材
６１  小スリット
７０  ファスナー
７１  スライダー
７２  ファスナー開口部
８０  紐
Ｓ    装飾物
【手続補正書】
【提出日】平成29年10月14日(2017.10.14)
【手続補正１】
【補正対象書類名】特許請求の範囲
【補正対象項目名】全文
【補正方法】変更
【補正の内容】
【特許請求の範囲】
【請求項１】
装飾物（Ｓ）を保持する保持手段を有する案内表示物を製造する方法であって、
シート部材（１０）に、
スリット（２０）と、
装飾物保持部材（３０）と、
を設ける構成から成り、
前記シート部材（１０）は、全部又は一部を表示可能領域（１１）とする可撓性を有するシート状であり、
前記スリット（２０）は、前記シート部材（１０）に前記装飾物（Ｓ）を挿通させる際に開口する挿通穴（２１）となり、前記シート部材（１０）の任意の位置に少なくとも１以上を設け、
前記装飾物保持部材（３０）は、前記スリット（２０）から挿通される前記装飾物（Ｓ）に対応する大きさ及び位置に設け、
前記保持手段が摩擦によるものであって、
前記装飾物保持部材（３０）に小シート部材（６０）を用い、
該小シート部材（６０）は、挿通する前記装飾物（Ｓ）を摩擦力によって保持するため小スリット（６１）を有した小片であり、
前記装飾物（Ｓ）を前記小スリット（６１）へ挿通し、
該挿通により発生する摩擦によって前記装飾物（Ｓ）を保持することを特徴とする装飾機能付きシート状案内表示物の製造方法（１）。
【請求項２】
装飾物（Ｓ）を保持する保持手段を有する案内表示物を製造する方法であって、
シート部材（１０）に、
スリット（２０）と、
装飾物保持部材（３０）と、
を設ける構成から成り、
前記シート部材（１０）は、全部又は一部を表示可能領域（１１）とする可撓性を有するシート状であり、
前記スリット（２０）は、前記シート部材（１０）に前記装飾物（Ｓ）を挿通させる際に開口する挿通穴（２１）となり、前記シート部材（１０）の任意の位置に少なくとも１以上を設け、
前記装飾物保持部材（３０）は、前記スリット（２０）から挿通される前記装飾物（Ｓ）に対応する大きさ及び位置に設け、
前記保持手段が挟持によるものであって、
前記装飾物保持部材（３０）にファスナー（７０）を用い、
該ファスナー（７０）に設けられるスライダー（７１）による開口を前記スリット（２０）とし、
前記装飾物（Ｓ）を前記スリット（２０）へ挿通し、
前記スライダー（７１）による挟持によって前記装飾物（Ｓ）を保持することを特徴とする装飾機能付きシート状案内表示物の製造方法（１）。
【請求項３】
装飾物（Ｓ）を保持する保持手段を有する案内表示物を製造する方法であって、
シート部材（１０）に、
スリット（２０）と、
装飾物保持部材（３０）と、
を設ける構成から成り、
前記シート部材（１０）は、全部又は一部を表示可能領域（１１）とする可撓性を有するシート状であり、
前記スリット（２０）は、前記シート部材（１０）に前記装飾物（Ｓ）を挿通させる際に開口する挿通穴（２１）となり、前記シート部材（１０）の任意の位置に少なくとも１以上を設け、
前記装飾物保持部材（３０）は、前記スリット（２０）から挿通される前記装飾物（Ｓ）に対応する大きさ及び位置に設け、
前記保持手段が結合によるものであって、
前記装飾物保持部材（３０）に紐（８０）、磁石、又は面ファスナーの結合部材を用い、
該結合部材は前記スリット（２０）と対応する前記シート部材（１０）の裏面に位置する個所に設けられ、
前記装飾物（Ｓ）を保持することを特徴とする装飾機能付きシート状案内表示物の製造方法（１）。
【請求項４】
装飾物（Ｓ）を保持する保持手段を有する案内表示物であって、
シート部材（１０）に、
スリット（２０）と、
装飾物保持部材（３０）と、
を設ける構成から成り、
前記シート部材（１０）は、全部又は一部を表示可能領域（１１）とする可撓性を有するシート状であり、
前記スリット（２０）は、前記シート部材（１０）に前記装飾物（Ｓ）を挿通させる際に開口する挿通穴（２１）となり、前記シート部材（１０）の任意の位置に少なくとも１以上を設け、
前記装飾物保持部材（３０）が、摩擦による保持力を利用した前記保持手段として小シート部材（６０）を用い、
該小シート部材（６０）は、挿通する前記装飾物（Ｓ）を摩擦力によって保持するための小スリット（６１）を有した小片であり、
前記装飾物（Ｓ）を前記小スリット（６１）へ挿通し、
該挿通により発生する摩擦によって前記装飾物（Ｓ）を保持することを特徴とする装飾機能付きシート状案内表示物（２）。
【請求項５】
装飾物（Ｓ）を保持する保持手段を有する案内表示物であって、
シート部材（１０）に、
スリット（２０）と、
装飾物保持部材（３０）と、
を設ける構成から成り、
前記シート部材（１０）は、全部又は一部を表示可能領域（１１）とする可撓性を有するシート状であり、
前記スリット（２０）は、前記シート部材（１０）に前記装飾物（Ｓ）を挿通させる際に開口する挿通穴（２１）となり、前記シート部材（１０）の任意の位置に少なくとも１以上を設け、
前記装飾物保持部材（３０）が、挟持による保持力を利用した前記保持手段としてファスナー（７０）を用い、
該ファスナー（７０）に設けられるスライダー（７１）による開口を前記スリット（２０）とし、前記スライダー（７１）を前記装飾物（Ｓ）に挟み付ける挟持力によって保持することを特徴とする装飾機能付きシート状案内表示物（２）。
【請求項６】
前記スライダー（７１）に袋状ポケット部材（３３）を係止し、
前記スライダー（７１）と連動して移動する前記袋状ポケット部材（３３）を前記シート部材（１０）の裏面に備えていることを特徴とする請求項５に記載の装飾機能付きシート状案内表示物（２）。
【請求項７】
装飾物（Ｓ）を保持する保持手段を有する案内表示物であって、
シート部材（１０）に、
スリット（２０）と、
装飾物保持部材（３０）と、
を設ける構成から成り、
前記シート部材（１０）は、全部又は一部を表示可能領域（１１）とする可撓性を有するシート状であり、
前記スリット（２０）は、前記シート部材（１０）に前記装飾物（Ｓ）を挿通させる際に開口する挿通穴（２１）となり、前記シート部材（１０）の任意の位置に少なくとも１以上を設け、
前記装飾物保持部材（３０）が、結合による保持力を利用した前記保持手段として紐（８０）、磁石、又は面ファスナーの何れか若しくはこれらの組み合わせによる結合部材を前記シート部材（１０）の裏面の前記スリット（２０）に対応する位置に備え、
前記装飾物（Ｓ）を前記スリット（２０）へ挿通し、
前記結合部材の結合力によって前記装飾物（Ｓ）を保持することを特徴とする装飾機能付きシート状案内表示物（２）。
【請求項８】
装飾物（Ｓ）を保持する保持手段を有する案内表示物であって、
シート部材（１０）に、
スリット（２０）と、
装飾物保持部材（３０）と、
を設ける構成から成り、
前記シート部材（１０）は、全部又は一部を表示可能領域（１１）とする可撓性を有するシート状であり、
前記スリット（２０）は、前記シート部材（１０）に前記装飾物（Ｓ）を挿通させる際に開口する挿通穴（２１）となり、前記シート部材（１０）の任意の位置に少なくとも１以上を設け、
前記装飾物保持部材（３０）が、結合による保持力を利用した前記保持手段として前記シート部材（１０）の裏面に設けた紐（８０）とファスナー（７０）を用い、
前記ファスナー（７０）に設けられるスライダー（７１）による開口を前記スリット（２０）とし、
前記装飾物（Ｓ）を前記スリット（２０）へ挿通し、
前記紐（８０）の結合力によって前記装飾物（Ｓ）を保持することを特徴とする装飾機能付きシート状案内表示物（２）。
【請求項９】
装飾物（Ｓ）を保持する保持手段を有する案内表示物であって、
シート部材（１０）に、
スリット（２０）と、
装飾物保持部材（３０）と、
を設ける構成から成り、
前記シート部材（１０）は、全部又は一部を表示可能領域（１１）とする可撓性を有するシート状であり、
前記スリット（２０）は、前記シート部材（１０）に前記装飾物（Ｓ）を挿通させる際に開口する挿通穴（２１）となり、前記シート部材（１０）の任意の位置に少なくとも１以上を設け、
前記装飾物保持部材（３０）が、当接による保持力を利用した前記保持手段として前記シート部材（１０）を折り曲げることによるか、
若しくは複数の前記シート部材（１０）の一辺が結合されていることにより、
前記表示可能領域（１１）を少なくとも２以上の異なる方向へ表示可能とし、
少なくとも１以上の前記装飾物（Ｓ）が前記スリット（２０）から挿通されて当接することにより保持することを特徴とする装飾機能付きシート状案内表示物（２）。
【請求項１０】
装飾物（Ｓ）を保持する保持手段を有する案内表示物であって、
シート部材（１０）に、
スリット（２０）と、
装飾物保持部材（３０）と、
を設ける構成から成り、
前記シート部材（１０）は、全部又は一部を表示可能領域（１１）とする可撓性を有するシート状であり、
前記スリット（２０）は、前記シート部材（１０）に前記装飾物（Ｓ）を挿通させる際に開口する挿通穴（２１）となり、前記シート部材（１０）の任意の位置に少なくとも１以上を設け、
前記装飾物保持部材（３０）が、摩擦による保持力を利用した前記保持手段として小シート部材（６０）を用い、
該小シート部材（６０）は、挿通する前記装飾物（Ｓ）を摩擦力によって保持するための小スリット（６１）を有した小片であり、
前記装飾物（Ｓ）を前記小スリット（６１）へ挿通し、
該挿通により発生する摩擦によって前記装飾物（Ｓ）を保持するか、
前記装飾物保持部材（３０）が、挟持による保持力を利用した前記保持手段としてファスナー（７０）を用い、
該ファスナー（７０）に設けられるスライダー（７１）による開口を前記スリット（２０）とし、前記スライダー（７１）を前記装飾物（Ｓ）に挟み付ける挟持力によって保持するか、
前記装飾物保持部材（３０）が、結合による保持力を利用した前記保持手段として紐（８０）、磁石、面ファスナー、又は両面テープの何れか若しくはこれらの組み合わせによる結合部材を前記シート部材（１０）の裏面に備え、
前記装飾物（Ｓ）を前記スリット（２０）へ挿通し、
前記結合部材の結合力によって前記装飾物（Ｓ）を保持するか、
若しくは前記装飾物保持部材（３０）が、当接による保持力を利用した前記保持手段として前記シート部材（１０）を折り曲げることによるか、
若しくは複数の前記シート部材（１０）の一辺が結合されていることにより、
少なくとも２以上の異なる方向に向かって前記装飾物（Ｓ）が前記スリット（２０）から挿通されて当接することにより保持する前記保持手段の内、
少なくとも２以上の前記保持手段を備えたことにより保持することを特徴とする装飾機能付きシート状案内表示物（２）。
【請求項１１】
前記シート部材（１０）の裏面側に板状部材（３５）を配置させることにより、
前記装飾物（Ｓ）による前記表示可能領域（１１）の表面形状の変化を抑制したことを特徴とする請求項４から請求項１０の何れかに記載の装飾機能付きシート状案内表示物（２）。
【請求項１２】
前記シート部材（１０）に有機ＥＬ（有機エレクトロルミネッセンス）を用いたことを特徴
とする請求項４から請求項１１の何れかに記載の装飾機能付きシート状案内表示物（２）。
【請求項１３】
前記装飾物保持部材（３０）の他に、収納による保持力を利用した前記保持手段として略平面形状のポケット部材（３１）又はポケット開口部（３４）を有する袋状ポケット部材（３３）を備えたことを特徴とする請求項４から請求項１２の何れかに記載の装飾機能付き案内表示物（２）。